(57)【要約】【課題】電池を非接続状態において収納可能でありながらも、収納凹所のコンパクト化を図り得る便器装置を提供する。【解決手段】電池７を受け入れる電池受入凹所１１を第１方向に開口させた電池ケース１０を出し入れ自在に収納する収納凹所２０を上方側に向けて開口するように設けた便器装置１であって、前記収納凹所には、前記電池ケースの第１方向第１端部１８が当接される当接部２６と、該当接部に前記電池ケースの第１方向第１端部が当接された状態で、前記電池ケースの第１方向第２端部側において露出する前記電池の端子８，９が当接される接続端子３１，３３と、が対向するように設けられており、前記電池ケースの第１方向第１端部には、前記電池の端子が前記接続端子に当接される接続姿勢において前記当接部に当接される被当接部１８ａと、前記電池の端子を前記当接部側に向けた非接続姿勢において前記接続端子を受け入れる受入空間１９と、が設けられている。【選択図】図１
2019009039.tif 000002
【特許請求の範囲】
【請求項１】
電池を受け入れる電池受入凹所を第１方向に開口させた電池ケースを出し入れ自在に収納する収納凹所を上方側に向けて開口するように設けた便器装置であって、
前記収納凹所には、前記電池ケースの第１方向第１端部が当接される当接部と、該当接部に前記電池ケースの第１方向第１端部が当接された状態で、前記電池ケースの第１方向第２端部側において露出する前記電池の端子が当接される接続端子と、が対向するように設けられており、
前記電池ケースの第１方向第１端部には、前記電池の端子が前記接続端子に当接される接続姿勢において前記当接部に当接される被当接部と、前記電池の端子を前記当接部側に向けた非接続姿勢において前記接続端子を受け入れる受入空間と、が設けられていることを特徴とする便器装置。
【請求項２】
請求項１において、
前記電池ケースの第１方向第１端部には、前記電池受入凹所の底側を区画する底壁部に対して第１方向両側に変位自在とされ、前記電池を押し出すように付勢する付勢部が設けられており、
前記受入空間は、第１方向反電池受入凹所側への前記付勢部の変位を許容するように設けられていることを特徴とする便器装置。
【請求項３】
請求項１または２において、
前記接続端子は、前記収納凹所に接続姿勢において収納された前記電池ケースを前記当接部側に向けて付勢する弾性を有していることを特徴とする便器装置。
【請求項４】
請求項１乃至３のいずれか１項において、
前記収納凹所には、前記電池ケースが非接続姿勢において収納された状態で、前記底壁部が前記接続端子に当接しないように、該電池ケースの該接続端子側への移動を規制する規制部が設けられていることを特徴とする便器装置。
【請求項５】
請求項１乃至４のいずれか１項において、
前記収納凹所の当接部は、接続姿勢の前記電池ケースの下端部の被当接部に当接されるように、前記収納凹所の底部から段上がり状に設けられた段部の段壁面とされ、該段部の上方側には、該収納凹所に収納された前記電池ケースへの手掛用空間が設けられていることを特徴とする便器装置。
【請求項６】
請求項５において、
前記手掛用空間を区画する前記段部の上面は、前記収納凹所の底部に向けて下るように傾斜する傾斜面状とされていることを特徴とする便器装置。
【発明の詳細な説明】
【技術分野】
【０００１】
本発明は、便器装置に関する。
【背景技術】
【０００２】
従来より、電源に接続されて駆動される各種機構を備えた便器装置が知られている。このような便器装置には、電源としての電池を収納する収納部を設けたものがある。このような便器装置において、常時は商用電源に接続され、停電時の代替電源として電池が使用される場合など電池の使用が長時間なされない場合に電池が接続されたままでは、液漏れが生じ易くなる懸念があった。
例えば、下記特許文献１には、電池を保持する電池保持ケースを出し入れ自在に収納し、電池の端子が接続される接続端子が設けられた電池収納部を有した便器装置が開示されている。この便器装置は、電池の端子が接続端子に接続されない接続不能状態において電池保持ケースを電池収納部に収納可能な構成とされている。また、便器装置は、電池収納部に、収納された電池保持ケースの移動を可能とする移動空間を設けた構成とされ、停電時に電池保持ケースが移動空間の奥側に移動されれば、移動空間の奥に設けられた接続端子に電池の端子が接続される構成とされている。
【先行技術文献】
【特許文献】
【０００３】
【特許文献１】特開２０１５−９５４１６号公報
【発明の概要】
【発明が解決しようとする課題】
【０００４】
しかしながら、上記特許文献１に記載されたものでは、電池保持ケースを収納する電池収納部に移動空間が必要となり、電池収納部が大型化する傾向がある。
【０００５】
本発明は、上記実情に鑑みてなされたものであり、電池を非接続状態において収納可能でありながらも、収納凹所のコンパクト化を図り得る便器装置を提供することを目的としている。
【課題を解決するための手段】
【０００６】
上記目的を達成するために、本発明に係る便器装置は、電池を受け入れる電池受入凹所を第１方向に開口させた電池ケースを出し入れ自在に収納する収納凹所を上方側に向けて開口するように設けた便器装置であって、前記収納凹所には、前記電池ケースの第１方向第１端部が当接される当接部と、該当接部に前記電池ケースの第１方向第１端部が当接された状態で、前記電池ケースの第１方向第２端部側において露出する前記電池の端子が当接される接続端子と、が対向するように設けられており、前記電池ケースの第１方向第１端部には、前記電池の端子が前記接続端子に当接される接続姿勢において前記当接部に当接される被当接部と、前記電池の端子を前記当接部側に向けた非接続姿勢において前記接続端子を受け入れる受入空間と、が設けられていることを特徴とする。
【発明の効果】
【０００７】
本発明に係る便器装置は、上述のような構成としたことで、電池を非接続状態において収納可能でありながらも、収納凹所のコンパクト化を図ることができる。
【図面の簡単な説明】
【０００８】
【図１】（ａ）、（ｂ）は、本発明の一実施形態に係る便器装置の一例を模式的に示し、（ａ）は、概略斜視図、（ｂ）は、一部を省略した一部破断概略平面図である。
【図２】（ａ）〜（ｃ）は、同便器装置が備える電池ケースの一例を模式的に示し、（ａ）は、概略平面図、（ｂ）は、概略背面図、（ｃ）は、（ａ）におけるＸ１−Ｘ１線矢視に対応させた概略縦断面図である。
【図３】（ａ）〜（ｃ）は、図１（ｂ）におけるＹ部に対応させた一部破断概略平面図である。
【図４】（ａ）は、図３（ａ）におけるＸ２−Ｘ２線矢視に対応させた一部省略概略縦断面図、（ｂ）は、図３（ｂ）におけるＸ３−Ｘ３線矢視に対応させた一部省略概略縦断面図である。
【図５】（ａ）、（ｂ）は、図３（ｃ）におけるＸ４−Ｘ４線矢視に対応させた一部省略概略縦断面図である。
【発明を実施するための形態】
【０００９】
以下に本発明の実施の形態について、図面に基づいて説明する。
図１〜図５は、本実施形態に係る便器装置を模式的に示す図である。
なお、一部の図では、他図に付している詳細な符号の一部を省略している。
また、以下の実施形態では、設置された便器装置に対して立位使用状態で対面した状態を基準として、手前側を前方、その逆側を後方（奥方）とし、また、その状態を基準として上下方向等を説明する。
【００１０】
本実施形態に係る便器装置１は、図１（ａ）に示すように、腰掛式（いわゆる洋式）の便器装置１とされている。この便器装置１は、トイレ空間内の床や壁等の設置部に設置される。また、この便器装置１には、上方に向けて開口するすり鉢状とされたボウル部（便鉢）２や、ボウル部２の周囲を囲むスカート部等が設けられている。また、便器装置１には、便器本体に対して便器幅方向に軸方向を沿わせた軸回りに起倒自在（回転自在）とされた便座３及び便蓋４や、これら便座３及び便蓋４を回転自在に支持し、種々の機構部を内蔵する機構本体部５が設けられている。
【００１１】
また、便器装置１には、水道管等の給水管に接続される給水機構や、床側または壁側の排水管に接続される排水機構等が設けられている。給水機構としては、電磁弁等によって給水制御がなされるものでもよい。また、排水機構としては、ボウル部２の底部に設けられた排水口に接続された筒状トラップを駆動機構によって回動させて排水及び封水する構成とされたいわゆる機械式排出機構を備えたものとしてもよい。また、図例では、便器装置１を、水洗タンク（ロータンク）を備えていない、いわゆるタンクレスタイプとした例を示しているが、水洗タンクを備えた構成としてもよい。
【００１２】
また、この便器装置１の機構本体部５や適所に、便座３や便蓋４を開閉する開閉装置や、ボウル部２内を脱臭する脱臭装置、便座３を温める加熱装置、局部を洗浄する局部洗浄装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１３】
また、便器装置１は、図１（ｂ）及び図２に示すように、電池７を受け入れる電池受入凹所１１を第１方向に開口させた電池ケース１０を出し入れ自在に収納する収納凹所２０を上方側に向けて開口するように設けた構成とされている。この収納凹所２０には、図３（ｂ）及び図４（ｂ）に示すように、電池ケース１０の第１方向第１端部を構成する周壁部１８が当接される当接部としての段壁面２６と、電池７の端子８，９が当接される接続端子３１，３３と、が対向するように設けられている。
本実施形態では、この収納凹所２０は、図１に示すように、ボウル部２の便器奥行方向奥側（後方側）部位の上側部位に設けられた機構本体部５に設けられている。また、収納凹所２０は、機構本体部５の上面側において開口するように設けられている。機構本体部５の上面側には、洗剤タンクを収容するタンク収容凹所や操作部が設けられている。また、便器装置１は、この機構本体部５の上面側をカバーする上面カバー６を備えている。この上面カバー６は、便器奥行方向奥側端部が便器幅方向に軸方向を沿わせた軸回りに回転自在とされている。また、上記した便蓋４は、閉鎖状態とされたこの上面カバー６を覆うように閉鎖される構成とされている。
【００１４】
電池７は、図２（ａ）に示すように、第１方向の一方側端部に、端子としての正極端子８及び負極端子９を設けたいわゆる９Ｖ形（平形６層）乾電池とされている。この電池７の負極端子９の先端部には、径方向に突出するように鍔状部９ａが設けられている。
電池ケース１０の第１方向第１端部（周壁部１８）には、図３（ｂ）及び図４（ｂ）に示すように、電池７の端子８，９が接続端子３１，３３に当接される接続姿勢において、段壁面２６に当接される被当接部としての第１被当接部１８ａが設けられている。また、電池ケース１０の第１方向第１端部には、図３（ａ）及び図４（ａ）に示すように、電池７の端子８，９を段壁面２６側に向けた非接続姿勢において接続端子３１，３３を受け入れる受入空間１９が設けられている。この受入空間１９は、図２（ｃ）に示すように、第１方向に沿う方向で電池受入凹所１１とは逆側となる方向（第１方向反電池受入凹所側）に向けて開口している。電池ケース１０の第１方向第１端部を構成する周壁部１８は、図２（ｂ）に示すように、この受入空間１９の四周を区画するように周状に設けられている。この周壁部１８は、全周に亘って環状に設けられている。
【００１５】
また、電池ケース１０は、図２（ｃ）に示すように、この周壁部１８側に、電池受入凹所１１及び受入空間１９の底側を区画し、電池ケース１０の第１方向第１端部を構成する底壁部１６を設けた構成とされている。本実施形態では、この底壁部１６に、この底壁部１６に対して第１方向両側に変位自在とされ、電池７を押し出すように付勢する付勢部１７を設けた構成とされている。
付勢部１７は、底壁部１６に切込状に貫通溝が形成されて底壁部１６の一部を構成するように設けられている。つまり、付勢部１７は、底壁部１６に打抜状に設けられている。この付勢部１７は、電池７の厚さ方向に延びるように設けられ、延出方向基端部を支点として延出方向先端側部位が第１方向両側に弾性変形を伴って変位する構成とされている。また、この付勢部１７の延出方向先端側部位には、電池受入凹所１１側に向けて突出し、電池７の第１方向の他方側端部（反端子側の端部）に当接される突部１７ａが設けられている。
【００１６】
この付勢部１７は、電池７の第１方向の寸法誤差を吸収可能なように設けられている。この付勢部１７は、図３（ａ）及び図４（ａ）に示すように、第１方向の寸法が比較的に大とされた電池７が電池受入凹所１１に収容された状態では、弾性変形を伴って第１方向反電池受入凹所側となる受入空間１９側に突出する構成とされている。受入空間１９は、第１方向反電池受入凹所側への付勢部１７の変位を許容するように設けられている。この受入空間１９は、上記のように変位した付勢部１７の受け入れが可能なように設けられている。この受入空間１９の第１方向に沿う深さ寸法は、電池ケース１０の第１方向への小型化を図る観点や受入空間１９側に変位した付勢部１７の受け入れが可能なように適宜の寸法としてもよい。図例では、この受入空間１９の第１方向に沿う深さ寸法を、付勢部１７の突部１７ａの第１方向に沿う突出寸法と略同寸法とした例を示している。
【００１７】
電池受入凹所１１は、電池ケース１０の第１方向第２端部側において開口し、この第２端部側において電池７の端子８，９を露出させる構成とされている。この電池受入凹所１１は、電池７の厚さ方向一方側を覆う第１壁部１２及び厚さ方向他方側を覆う第２壁部１３と、電池７の幅方向両側を覆う両側の側壁部１４，１４と、電池７の反端子側を覆う底壁部１６と、によって区画されている（図２も参照）。
電池ケース１０の第２壁部１３は、図４（ａ）に示すように、電池受入凹所１１に受け入れた電池７の厚さ方向他方側面を略全面に亘って覆い得る構成とされている。
電池ケース１０の第１壁部１２は、図２（ａ）、（ｃ）に示すように、第２壁部１３よりも底壁部１６からの第１方向に沿う寸法が小とされている。つまり、電池受入凹所１１に受け入れられた電池７は、その厚さ方向一方側面の端子８，９側部位が電池ケース１０の第１壁部１２側において露出する構成とされている。また、この第１壁部１２の表面側には、電池ケース１０に収容される電池７の正極端子８及び負極端子９の向きを示す指標となる電池７の模式図が図示されている。
【００１８】
電池ケース１０の両側の側壁部１４，１４には、電池受入凹所１１に受け入れた電池７の端子８，９側の端部に引っ掛かるように係止する引掛片部１５，１５が設けられている。
これら引掛片部１５，１５は、第１方向に延びるように設けられ、延出方向先端側部位が弾性変形を伴って両側の側壁部１４，１４の対向する方向に沿って変位可能とされている。また、これら引掛片部１５，１５の延出方向先端部には、電池７の端子８，９側の端部に引っ掛けられる爪状の突起１５ａ，１５ａが設けられている。これら突起１５ａ，１５ａは、互いに向き合う方向に突出するように設けられている。これら突起１５ａ，１５ａの概ね第１方向に沿う方向に向く両側面のうち、電池受入凹所１１側（底壁部１６側）に向く側面が係止面とされ、反対側の側面が傾斜面状の案内面とされている。これら案内面は、電池７が電池受入凹所１１に挿入される際に、その案内作用によって引掛片部１５，１５の延出方向先端側部位が互いに離間する方向に変位するように形成されている。
【００１９】
これら引掛片部１５，１５は、各側壁部１４，１４に切込状に電池受入凹所１１と同方向に開口するスリット状溝が形成されて各側壁部１４，１４の一部を構成するように設けられている。上記した付勢部１７によって電池受入凹所１１の開口側に向けて付勢された電池７は、これら引掛片部１５，１５の突起１５ａ，１５ａによって付勢部１７による付勢方向先側への移動が抑制される。また、電池ケース１０に収容された電池７は、これら引掛片部１５，１５の延出方向先端側部位を互いに離間させる方向に変位させて突起１５ａ，１５ａによる電池７への係止を解除させれば、電池ケース１０から脱離可能とされている。
なお、電池７を収容する電池受入凹所１１を設けた電池ケース１０としては、上記のような構成とされたものに限られず、種々の変形が可能である。例えば、第１壁部１２に、非接続姿勢において上方側に向けて突出し、接続姿勢において後記する収納凹所２０の液溜め凹部２２に差し入れられる突片部を設けた構成等としてもよい。また、電池ケース１０は、ＡＢＳ等の合成樹脂系材料から上記のような形状に一体的に形成された樹脂成型品でもよい。
【００２０】
収納凹所２０は、図１（ｂ）及び図３に示すように、第１方向に長尺状とされた電池７を収容する電池ケース１０を、便器奥行方向に長手方向を沿わせて収納する構成とされている。つまり、この収納凹所２０は、便器奥行方向に長尺状とされている。また、この収納凹所２０における便器奥行方向奥側に位置するように接続端子３１，３３を設けた構成としている。
この収納凹所２０は、図３（ｃ）及び図５（ａ）に示すように、上方側に向く底部２１によって底側が区画され、便器幅方向に沿う方向で互いに向き合うように設けられた両側の内側面２３，２３によって便器幅方向両側が区画されている。両側の内側面２３，２３間の便器幅方向に沿う寸法は、電池ケース１０の収納が可能なように電池ケース１０の便器幅方向に沿う寸法に応じた寸法とされている。
【００２１】
また、本実施形態では、底部２１に、上方側に向けて開口する液溜め凹部２２を設けた構成としている。この液溜め凹部２２は、収納凹所２０に収納された電池７から電解液が漏れた場合に流下して貯留可能なように設けられ、接続端子３１，３３側への電解液の流出を抑制可能なように設けられている。図例では、この液溜め凹部２２の便器奥行方向に沿う寸法及び便器幅方向に沿う寸法を、収納凹所２０の便器奥行方向に沿う寸法及び便器幅方向に沿う寸法よりも小とし、接続端子３１，３３側に片寄らせて設けた例を示している。
接続端子３１，３３は、収納凹所２０に接続姿勢において収納された電池ケース１０の電池７の端子８，９と電気的に接続可能なように設けられている。つまり、収納凹所２０には、電池７の正極端子８に接続される正極接続端子３１と、電池７の負極端子９に接続される負極接続端子３３と、が便器幅方向に互いに間隔を空けて設けられている。
【００２２】
これら接続端子３１，３３は、収納凹所２０の便器奥行方向奥側から対向側となる段壁面２６側に向けて突出するように設けられている。本実施形態では、これら接続端子３１，３３は、収納凹所２０に接続姿勢において収納された電池ケース１０を段壁面２６側に向けて付勢する弾性を有している。このような構成とすれば、電池７や電池ケース１０、収納凹所２０に寸法誤差があるような場合にも、電池７の端子８，９と接続端子３１，３３との接続不良を軽減することができる。
これら接続端子３１，３３は、図４（ｂ）及び図５（ａ）に示すように、電池７の端子８，９が当接された状態では、これらの弾性変形を伴って、端子８，９が当接していない状態（自然状態）よりも突出寸法が小とされる。また、これら接続端子３１，３３は、薄板状とされ、ばね性（弾性）を有した金属板を折曲等して形成されている。つまり、これら接続端子３１，３３は、板ばね状とされている。図例では、これら接続端子３１，３３は、便器幅方向に見て、段壁面２６側が屈曲部とされた略Ｖ字状とされている。
【００２３】
また、本実施形態では、これら接続端子３１，３３のうち、電池７の正極端子８に接続される正極接続端子３１側に、電池７の負極端子９の鍔状部９ａに当接して負極端子９の正極接続端子３１への接触を抑止する誤挿入防止部３２，３２を設けている。
誤挿入防止部３２，３２は、図３（ｃ）に示すように、正極接続端子３１の便器幅方向両側に位置するように対状に設けられている。これら誤挿入防止部３２，３２は、これらの間に電池７の正極端子８の受け入れが可能なように便器幅方向に間隔を空けて設けられている（図３（ｂ）参照）。一方、これら誤挿入防止部３２，３２は、これらの間に電池７の負極端子９の受け入れが不能となるように、これらの間の便器幅方向に沿う寸法が負極端子９の鍔状部９ａの外径よりも小とされている。また、これら誤挿入防止部３２，３２は、図５（ａ）に示すように、段壁面２６側に向けて突出するように設けられた突片状（リブ状）とされている。
【００２４】
また、これら接続端子３１，３３は、収納凹所２０内に取り付けられる端子保持カバー３０に保持されている。
端子保持カバー３０は、図１（ｂ）及び図４に示すように、接続端子３１，３３の上方側を覆うように庇状部を設けた構成とされている。なお、端子保持カバー３０は、電池ケース１０と同様、樹脂成型品でもよい。また、上記した誤挿入防止部３２，３２は、この端子保持カバー３０に設けられたものでもよい。また、図示は省略しているが、収納凹所２０内には、これら接続端子３１，３３と、上記した給水機構の電磁弁や排水機構の駆動機構等の各機器と、を電気的に接続する電線（電気ケーブル）が配線されている。
これら接続端子３１，３３に対向するように設けられた収納凹所２０の段壁面２６は、図４（ｂ）に示すように、収納凹所２０の底部２１から段上がり状に設けられた段部２５の段壁面とされている。この段壁面２６は、便器奥行方向奥側に向くように設けられ、接続姿勢の電池ケース１０の下端部の被当接部としての第１被当接部１８ａに当接される。本実施形態では、第１被当接部１８ａを、周壁部１８の第１壁部１２側部位に連なるように設けられた部位としている。
【００２５】
また、段部２５の上方側には、収納凹所２０に収納された電池ケース１０への手掛用空間２９が設けられている。このような構成とすれば、この手掛用空間２９に手指を差し込んで電池ケース１０を取り外すことができる。
段部２５は、上方側に手掛用空間２９が形成されるように、その高さが電池ケース１０の厚さ方向に沿う寸法よりも小とされ、電池ケース１０が段壁面２６に対向された状態で、電池ケース１０の上方側部位が段部２５よりも上方側に露出する構成とされている。図例では、段部２５の底部２１からの高さ寸法（段壁面２６の高さ寸法）を、電池ケース１０の厚さ方向に沿う寸法の１／３程度とした例を示している。
手掛用空間２９は、手指の差し入れが可能で、収納凹所２０に収納された電池ケース１０に手指を掛けて電池ケース１０の取出しが可能なように設けられている。
【００２６】
また、本実施形態では、手掛用空間２９を区画する段部２５の上面は、収納凹所２０の底部２１に向けて下るように傾斜する傾斜面状とされた傾斜状上面２７とされている。このような構成とすれば、図５（ｂ）に示すように、収納凹所２０に電池ケース１０を収納する際に、一端側（図例では、端子８，９側）を収納凹所２０の底部２１に沿わせながら、他端側を傾斜状上面２７に沿わせて滑らせるようにして収納することができる。
また、手掛用空間２９を区画する便器奥行方向奥側に向く内側面は、収納凹所２０の底部２１に向けて下るように傾斜する傾斜面状とされた傾斜状側面２８とされている。これら傾斜状上面２７と傾斜状側面２８とは、連続状の凹湾曲面を構成するように設けられている。これら傾斜状上面２７及び傾斜状側面２８によって形成される凹湾曲面は、便器幅方向に見て、略四半円弧状とされている。
【００２７】
また、収納凹所２０には、図３（ａ）に示すように、電池ケース１０が非接続姿勢において収納された状態で、底壁部１６が接続端子３１，３３に当接しないように、電池ケース１０の接続端子３１，３３側への移動を規制する規制部２４が設けられている。つまり、電池ケース１０は、非接続姿勢では、図４（ａ）に示すように、周壁部１８側が接続端子３１，３３側を向き、この状態では、受入空間１９に接続端子３１，３３を受け入れた状態となる。電池ケース１０には、このように受入空間１９に受け入れた接続端子３１，３３が底壁部１６に当接しないように、規制部２４に当接される被当接部としての第２被当接部１８ｂが設けられている。本実施形態では、第２被当接部１８ｂを、周壁部１８の第２壁部１３側部位としている。
規制部２４は、収納凹所２０の便器奥行方向奥側部位の両側の内側面２３，２３に沿うように設けられている。これら規制部２４，２４は、収納凹所２０の底部２１から上方側に向けて突出するように設けられた突片状（リブ状）とされている。なお、規制部２４，２４は、収納凹所２０の両側の内側面２３，２３に突状段部を設けて構成されたものでもよく、または、端子保持カバー３０に設けられたものでもよい。
【００２８】
上記構成とされた電池ケース１０は、当該便器装置１の各機器が商用電源に接続されて駆動可能な状態では、非接続姿勢において収納凹所２０に収納され、停電時等には、接続姿勢において収納凹所２０に収納されるものでもよい。
非接続姿勢においては、図３（ａ）及び図４（ａ）に示すように、電池７の端子８，９が手掛用空間２９（段壁面２６）側に向き、収納凹所２０の接続端子３１，３３とは非接続状態とされる。この状態では、電池ケース１０の周壁部１８の第２被当接部１８ｂが収納凹所２０の規制部２４，２４に当接し、電池ケース１０の接続端子３１，３３側への移動が抑制され、接続端子３１，３３への電池ケース１０の接触が抑制される。このように非接続姿勢とされた電池ケース１０を収納凹所２０から取り出す際には、手掛用空間２９に手指を差し入れ、電池ケース１０または電池７に手指を掛けることで取り出すことができる。
【００２９】
一方、接続姿勢においては、図３（ｂ）及び図４（ｂ）に示すように、電池ケース１０の周壁部１８が手掛用空間２９（段壁面２６）側に向き、電池７の端子８，９が収納凹所２０の接続端子３１，３３と接続状態とされる。この状態では、電池ケース１０は、接続端子３１，３３によって段壁面２６側に向けて付勢されており、周壁部１８の第１被当接部１８ａが段壁面２６に押し付けられるように当接される。このように接続姿勢とされた電池ケース１０を収納凹所２０から取り出す際には、上記同様、手掛用空間２９に手指を差し入れ、電池ケース１０に手指を掛けることで取り出すことができる。なお、図例では、電池ケース１０は、便器幅方向に軸方向を沿わせた軸回りに１８０度回転されて接続姿勢と非接続姿勢とに変位される構成とした例を示しているが、上下方向に軸方向を沿わせた軸回りに１８０度回転されて接続姿勢と非接続姿勢とに変位される構成としてもよい。
【００３０】
本実施形態に係る便器装置１は、上述のような構成としたことで、電池７を非接続状態において収納可能でありながらも、収納凹所２０のコンパクト化を図ることができる。
つまり、収納凹所２０に、電池ケース１０の第１方向第１端部の周壁部１８が当接される当接部としての段壁面２６と、電池７の端子８，９が当接される接続端子３１，３３と、を対向するように設けた構成としている。従って、電池ケース１０の周壁部１８の被当接部としての第１被当接部１８ａを段壁面２６に当接させて収納凹所２０に収納させて接続姿勢とすれば、電池７の端子８，９が接続端子３１，３３に当接されて接続状態となる。また、電池７の端子８，９を段壁面２６側に向けて電池ケース１０を収納凹所２０に収納させて非接続姿勢とすれば、電池７の端子８，９が接続端子３１，３３に接続されていない状態となる。これにより、前記特許文献１に記載されたような収納凹所２０に電池ケース１０を接続端子３１，３３側に向けて移動させるための空間が不要となり、収納凹所２０のコンパクト化を図ることができる。また、収納凹所２０内において接続端子３１，３３側に向けて移動された電池ケース１０を接続状態に保持する保持部や被保持部を設けていない構成とでき、構造の簡略化を図ることができる。また、電池７を使用しない場合には、非接続姿勢で収納することができるので、電池７を接続端子３１，３３に常時接続しておくようなものと比べて、電池７の液漏れが生じた場合にも接続端子３１，３３への影響を軽減することができる。
【００３１】
また、電池ケース１０の第１方向第１端部に、非接続姿勢において接続端子３１，３３を受け入れる受入空間１９を設けている。従って、上記のように収納凹所２０のコンパクト化を図りながらも、非接続姿勢において電池ケース１０と接続端子３１，３３との干渉を抑制することができる。
また、本実施形態では、収納凹所２０に、電池ケース１０が非接続姿勢において収納された状態で、底壁部１６が接続端子３１，３３に当接しないように、電池ケース１０の接続端子３１，３３側への移動を規制する規制部２４，２４を設けている。従って、非接続姿勢において収納された電池ケース１０の底壁部１６と接続端子３１，３３との干渉をより効果的に抑制することができる。
【００３２】
また、本実施形態では、電池ケース１０の第１方向第１端部を構成する底壁部１６に、当該底壁部１６に対して第１方向両側に変位自在とされ、電池７を押し出すように付勢する付勢部１７を設けている。従って、電池７や電池ケース１０に寸法誤差があるような場合にも、電池７の端子８，９と接続端子３１，３３との接続不良を軽減することができる。また、電池ケース１０の第１方向第１端部の受入空間１９を、第１方向反電池受入凹所側への付勢部１７の変位を許容するように設けている。従って、付勢部１７が第１方向反電池受入凹所側に変位した場合にも、付勢部１７が他の部位に干渉するようなことを抑制することができる。
【００３３】
なお、本実施形態では、電池ケース１０を収納する収納凹所２０を設けた機構本体部５を便器装置１に一体的に組み込んだ構成とした例を示しているが、このような態様に限られない。例えば、この機構本体部５を、便器本体に着脱可能に設置される便座装置に組み込み、当該便座装置と便器本体とを備えた便器装置１として把握するようにしてもよい。
また、上記した本実施形態に係る便器装置１の各部の具体的構成は、一例に過ぎず、その他、種々の変形が可能である。
【符号の説明】
【００３４】
１      便器装置
１０    電池ケース
１１    電池受入凹所
１６    底壁部（第１端部）
１７    付勢部
１８    周壁部（第１端部）
１８ａ  第１被当接部（被当接部）
１９    受入空間
２０    収納凹所
２１    底部
２４    規制部
２５    段部
２６    段壁面（当接部）
２７    傾斜状上面（段部の上面）
２９    手掛用空間
３１    正極接続端子（接続端子）
３３    負極接続端子（接続端子）
７      電池
８      正極端子（端子）
９      負極端子（端子）
【図１】
2019009039.tif 000003
【図２】
2019009039.tif 000004
【図３】
2019009039.tif 000005
【図４】
2019009039.tif 000006
【図５】
2019009039.tif 000007